(57)【要約】【課題】ホームページの問題点の洗い出しを容易にしてより効率的なホームページの運営を可能とする極めて実用性に秀れたアクセスカウントシステムを提供する。【解決手段】一若しくは複数のウェブサーバーと、このウェブサーバーに通信ネットワークを介して接続され前記ウェブサーバーから提供されるホームページを閲覧可能なブラウザを備えた利用者端末とから成り、利用者端末毎にホームページ上の各リンク部のクリック動作及び各ホームページの表示動作を記憶すると共に各動作時の時刻を記憶することで利用者端末単位での各動作のカウント数を表示し得るようにしたアクセスカウントシステムである。【選択図】図１
2007102469.tif 000002
【特許請求の範囲】
【請求項１】
一若しくは複数のウェブサーバーと、このウェブサーバーに通信ネットワークを介して接続され前記ウェブサーバーから提供されるホームページを閲覧可能なブラウザを備えた利用者端末とから成り、前記ウェブサーバーは、前記利用者端末により前記ホームページ上に設けられるリンク部がクリックされた際、このリンク部のリンク先ＵＲＬを読み出し、前記リンク部が表示されるＵＲＬから前記読み出したリンク先ＵＲＬに転送すると共に、各利用者端末に割り当てられるセッションＩＤ，前記リンク部が表示されるＵＲＬ及び前記転送時若しくは前記クリック時の動作時刻を記憶手段に記憶するリンク制御手段と、前記リンク先ＵＲＬに対応するホームページが利用者端末に表示される際、このホームページのＵＲＬ，前記セッションＩＤ及び前記ホームページ表示時の動作時刻を前記記憶手段に記憶するカウント手段と、前記リンク制御手段によって得られた前記セッションＩＤ及び前記リンク部が表示されるＵＲＬ並びに前記カウント手段によって得られた前記セッションＩＤ及び前記リンク先ＵＲＬを、前記セッションＩＤ毎に動作時刻順に並べ替えて利用者端末毎に動作履歴を集計することで、利用者端末単位での各動作のカウント数を表示する集計表示手段とを備えたことを特徴とするアクセスカウントシステム。
【請求項２】
一若しくは複数のウェブサーバーと、このウェブサーバーに通信ネットワークを介して接続され前記ウェブサーバーから提供されるホームページを閲覧可能なブラウザを備えた利用者端末とから成り、前記ウェブサーバーは、識別コードとこの識別コードに対応するリンク先ＵＲＬが記憶される記憶手段と、前記利用者端末により前記ホームページ上に設けられるリンク部がクリックされた際、このリンク部に予め設定される識別コードと前記記憶手段に記憶される識別コードとを照合し、この識別コードに対応するリンク先ＵＲＬを読み出し、前記リンク部が表示されるＵＲＬから前記読み出したリンク先ＵＲＬに転送すると共に、各利用者端末に割り当てられるセッションＩＤ，前記リンク部の識別コード及び前記転送時若しくは前記クリック時の動作時刻を記憶手段に記憶するリンク制御手段と、前記リンク先ＵＲＬに対応するホームページが利用者端末に表示される際、このホームページのＵＲＬ，前記セッションＩＤ及び前記ホームページ表示時の動作時刻を前記記憶手段に記憶するカウント手段と、前記リンク制御手段によって得られた前記セッションＩＤ及び前記リンク部の識別コード並びに前記カウント手段によって得られた前記セッションＩＤ及び前記リンク先ＵＲＬを、前記セッションＩＤ毎に動作時刻順に並べ替えて利用者端末毎に動作履歴を集計することで、利用者端末単位での各動作のカウント数を表示する集計表示手段とを備えたことを特徴とするアクセスカウントシステム。
【請求項３】
前記集計表示手段は、前記セッションＩＤ毎に動作時刻順に並べ替えた利用者端末の動作履歴を、同一の動作をした順に並べ替え各動作毎に集計して表示することで、利用者端末を操作する利用者がどのような経路でホームページを閲覧したかを把握し得るように構成したことを特徴とする請求項１，２のいずれか１項に記載のアクセスカウントシステム。
【請求項４】
前記集計表示手段は、集計結果を樹形図状に表示するように構成したことを特徴とする請求項１〜３のいずれか１項に記載のアクセスカウントシステム。
【発明の詳細な説明】
【技術分野】
【０００１】
本発明は、アクセスカウントシステムに関するものである。
【背景技術】
【０００２】
従来から、ホームページにアクセスした利用者数をカウントすることで、例えば一日あたりどの程度の閲覧者がいるのかをホームページの管理者が確認できるアクセスカウントシステムがある。
【発明の開示】
【発明が解決しようとする課題】
【０００３】
しかしながら、従来のアクセスカウントシステムは、あくまで所定のホームページにアクセスした利用者の数をカウントするだけであり、利用者が所定のホームページにどのような経路でアクセスしたかまでは判断することはできない。
【０００４】
即ち、例えば、一のホームページにリンクする広告を他の複数のホームページに出した後、前記一のホームページのカウント数が通常より増加した場合、広告によりこの一のホームページの閲覧者が増加したことは判断できても、どの広告を経由して前記一のホームページにアクセスしたのかまでは把握できないため、いずれの広告の宣伝効果が高かったかを判断することはできていないのが現状である。
【０００５】
本発明は、上述のような現状に鑑み成されたもので、利用者端末毎に各リンク部をクリックした回数及び各ホームページを表示した回数をカウントできるのは勿論、クリック動作時やホームページ表示動作時の時刻を記憶することで、利用者端末を操作する利用者がどのような経路でホームページを閲覧し、例えばどのページを見て立ち去ったかや、ホームページ上のショップのどのページで購入を断念したかなどを把握することができ、ホームページの問題点の洗い出しを容易にしてより効率的なホームページの運営を可能とする極めて実用性に秀れたアクセスカウントシステムを提供するものである。
【課題を解決するための手段】
【０００６】
添付図面を参照して本発明の要旨を説明する。
【０００７】
一若しくは複数のウェブサーバーと、このウェブサーバーに通信ネットワークを介して接続され前記ウェブサーバーから提供されるホームページを閲覧可能なブラウザを備えた利用者端末とから成り、前記ウェブサーバーは、前記利用者端末により前記ホームページ上に設けられるリンク部がクリックされた際、このリンク部のリンク先ＵＲＬを読み出し、前記リンク部が表示されるＵＲＬから前記読み出したリンク先ＵＲＬに転送すると共に、各利用者端末に割り当てられるセッションＩＤ，前記リンク部が表示されるＵＲＬ及び前記転送時若しくは前記クリック時の動作時刻を記憶手段に記憶するリンク制御手段と、前記リンク先ＵＲＬに対応するホームページが利用者端末に表示される際、このホームページのＵＲＬ，前記セッションＩＤ及び前記ホームページ表示時の動作時刻を前記記憶手段に記憶するカウント手段と、前記リンク制御手段によって得られた前記セッションＩＤ及び前記リンク部が表示されるＵＲＬ並びに前記カウント手段によって得られた前記セッションＩＤ及び前記リンク先ＵＲＬを、前記セッションＩＤ毎に動作時刻順に並べ替えて利用者端末毎に動作履歴を集計することで、利用者端末単位での各動作のカウント数を表示する集計表示手段とを備えたことを特徴とするアクセスカウントシステムに係るものである。
【０００８】
また、一若しくは複数のウェブサーバーと、このウェブサーバーに通信ネットワークを介して接続され前記ウェブサーバーから提供されるホームページを閲覧可能なブラウザを備えた利用者端末とから成り、前記ウェブサーバーは、識別コードとこの識別コードに対応するリンク先ＵＲＬが記憶される記憶手段と、前記利用者端末により前記ホームページ上に設けられるリンク部がクリックされた際、このリンク部に予め設定される識別コードと前記記憶手段に記憶される識別コードとを照合し、この識別コードに対応するリンク先ＵＲＬを読み出し、前記リンク部が表示されるＵＲＬから前記読み出したリンク先ＵＲＬに転送すると共に、各利用者端末に割り当てられるセッションＩＤ，前記リンク部の識別コード及び前記転送時若しくは前記クリック時の動作時刻を記憶手段に記憶するリンク制御手段と、前記リンク先ＵＲＬに対応するホームページが利用者端末に表示される際、このホームページのＵＲＬ，前記セッションＩＤ及び前記ホームページ表示時の動作時刻を前記記憶手段に記憶するカウント手段と、前記リンク制御手段によって得られた前記セッションＩＤ及び前記リンク部の識別コード並びに前記カウント手段によって得られた前記セッションＩＤ及び前記リンク先ＵＲＬを、前記セッションＩＤ毎に動作時刻順に並べ替えて利用者端末毎に動作履歴を集計することで、利用者端末単位での各動作のカウント数を表示する集計表示手段とを備えたことを特徴とするアクセスカウントシステムに係るものである。
【０００９】
また、前記集計表示手段は、前記セッションＩＤ毎に動作時刻順に並べ替えた利用者端末の動作履歴を、同一の動作をした順に並べ替え各動作毎に集計して表示することで、利用者端末を操作する利用者がどのような経路でホームページを閲覧したかを把握し得るように構成したことを特徴とする請求項１，２のいずれか１項に記載のアクセスカウントシステムに係るものである。
【００１０】
また、前記集計表示手段は、集計結果を樹形図状に表示するように構成したことを特徴とする請求項１〜３のいずれか１項に記載のアクセスカウントシステムに係るものである。
【発明の効果】
【００１１】
本発明は、上述のように構成したから、ホームページの問題点の洗い出し等を容易にしてより効率的なホームページの運営を可能とする極めて実用性に秀れたアクセスカウントシステムとなる。
【００１２】
また、請求項２〜４記載の発明においては、本発明を一層容易に実現できる一層実用性に秀れたものとなる。
【発明を実施するための最良の形態】
【００１３】
好適と考える本発明の実施形態（発明をどのように実施するか）を、図面に基づいて本発明の作用を示して簡単に説明する。
【００１４】
利用者が利用者端末によりホームページ上のリンク部をクリックすると、リンク制御手段によりリンク部が表示されるＵＲＬからこのリンク部のリンク先ＵＲＬに転送されると共に、各利用者端末に割り当てられるセッションＩＤ，前記リンク部が表示されるＵＲＬ（若しくはリンク部の識別コード）及び前記転送時（若しくは前記クリック時）の動作時刻がウェブサーバーの記憶手段に記録され、このリンク先ＵＲＬに対応するホームページが利用者端末に表示される際、カウント手段によりこのホームページのＵＲＬ，前記セッションＩＤ及び前記ホームページ表示時の動作時刻が前記記憶手段に記憶される。
【００１５】
この際、前記記憶手段に記憶される前記リンク制御手段及び前記カウント手段によって記憶手段に記憶された各種のデータは、前記集計表示手段により前記セッションＩＤ毎に動作時刻順に並べ替えられ、利用者端末毎に動作履歴が集計されて利用者端末単位での各動作のカウント数が表示されることになる。
【００１６】
即ち、リンク部のクリック動作及びホームページの表示動作をセッションＩＤ毎に動作時刻順に並べ替えることで、このセッションＩＤが付与された所定の利用者端末がどのような経路でホームページを閲覧しているかを知ることが可能となり、この各セッションＩＤの閲覧経路を、例えば前記セッションＩＤ毎に動作時刻順に並べ替えた利用者端末の動作履歴を、同一の動作をした順に並べ替え各動作毎に集計して表示することで、利用者がどのような経路でホームページを閲覧しているかを統計的に把握することが可能となる。
【００１７】
従って、一のホームページのクリック部からリンクされた他のホームページにおける顧客の動作推移を統計的に見ることが可能となり、例えば一のホームページを提供し、この一のホームページとは別の他の複数のホームページに広告を出している提供者が、どの広告を経由して前記一のホームページを利用者が使用してくれるかを把握できたり、ホームページ上のショップにおいてどのような経路でショップに入った場合に商品購入に至る可能性が高いかを把握できる等、将来ホームページを改善する上での参考となる情報を容易に入手可能となり一層効率的なホームページの運営が可能となる。
【００１８】
また、特に、前記記憶手段に識別コードとこの識別コードに対応するリンク先ＵＲＬを記憶させておくと共に、前記利用者端末により前記ホームページ上に設けられるリンク部がクリックされた際、このリンク部に予め設定される識別コードと前記記憶手段に記憶される識別コードとを照合し、この識別コードに対応するリンク先ＵＲＬを読み出し、前記リンク部が表示されるＵＲＬから前記読み出したリンク先ＵＲＬに転送すると共に、各利用者端末に割り当てられるセッションＩＤ，前記リンク部の識別コード及び前記転送時の動作時刻を記憶手段に記憶するように前記リンク制御手段を構成した場合には、各クリック部に付与した識別コード毎に認識することができ、例えばホームページ上のクリック部に夫々異なる識別コードを付与した場合には、ホームページ上のどのクリック部から次のページに移ったかを把握でき、より詳細な情報を得ることが可能となる。
【００１９】
また、例えば、集計表示手段を、集計結果を樹形図状に表示するように構成することで、一目で利用者の統計的な閲覧経路を把握することが可能となる。
【実施例】
【００２０】
本発明の具体的な実施例について図面に基づいて説明する。
【００２１】
本実施例は、一若しくは複数のウェブサーバーと、このウェブサーバーに通信ネットワークを介して接続され前記ウェブサーバーから提供されるホームページを閲覧可能なブラウザを備えた利用者端末とから成り、前記ウェブサーバーは、識別コードとこの識別コードに対応するリンク先ＵＲＬが記憶される記憶手段と、前記利用者端末により前記ホームページ上に設けられるリンク部がクリックされた際、このリンク部に予め設定される識別コードと前記記憶手段に記憶される識別コードとを照合し、この識別コードに対応するリンク先ＵＲＬを読み出し、前記リンク部が表示されるＵＲＬから前記読み出したリンク先ＵＲＬに転送すると共に、各利用者端末に割り当てられるセッションＩＤ，前記リンク部の識別コード及び前記クリック時の動作時刻を記憶手段に記憶するリンク制御手段Ｄ１と、前記リンク先ＵＲＬに対応するホームページが利用者端末に表示される際、このホームページのＵＲＬ，前記セッションＩＤ及び前記ホームページ表示時の動作時刻を前記記憶手段に記憶するカウント手段Ｄ２と、前記リンク制御手段Ｄ１によって得られた前記セッションＩＤ及び前記リンク部の識別コード並びに前記カウント手段Ｄ２によって得られた前記セッションＩＤ及び前記リンク先ＵＲＬを、前記セッションＩＤ毎に動作時刻順に並べ替えて利用者端末毎に動作履歴を集計することで、利用者端末単位での各動作のカウント数を表示する集計表示手段Ｄ３とを備えたアクセスカウントシステムである。
【００２２】
本実施例の全体構成を図１に示す。図１において、ウェブサーバーＡ１は、電話回線などの通信ネットワークを経由してインターネット網Ａ２に接続されている。
【００２３】
同様に、ウェブサーバーＡ３も電話回線などを経由してインターネット網Ａ２に接続されている。ウェブサーバーＡ１とＡ３は、通常のインターネットを利用して、ホームページを提供できるものであれば、特に種類は問われるものではなく、例えばパーソナルコンピュータも使用できる。
【００２４】
利用者端末Ｂ１〜Ｂ５もウェブサーバーに接続されているインターネット網Ａ２に電話回線などを経由して接続されている。
【００２５】
ウェブサーバーＡ１からは、複数のリンクで結ばれている一つ若しくは複数のホームページが提供される。
【００２６】
ウェブサーバーＡ３には、図２に示すように上記リンク制御手段Ｄ１、カウント手段Ｄ２及び集計表示手段Ｄ３（以下、これらをまとめて「アクセスカウント機構」という。）が設けられている。
【００２７】
また、このウェブサーバーＡ３の記憶手段には、予め識別コードとこの識別コードに対応するリンク先ＵＲＬが記憶されている。また、この記憶手段には、リンク制御手段Ｄ１によりセッションＩＤ，リンク部の識別コード及びクリック時の動作時刻が記憶され、カウント手段Ｄ２によりセッションＩＤ，リンク先ＵＲＬ及びホームページ表示時の動作時刻が記憶されるように構成されている。尚、リンク制御手段Ｄ１はクリック時でなく前記転送時の動作時刻を記憶するように構成しても良い。
【００２８】
本実施例においては、ホームページを提供するウェブサーバーＡ１とこのウェブサーバーＡ１とは別のウェブサーバーＡ３に上記アクセスカウント機構を設ける構成としているが、同一のウェブサーバーに設ける構成としても良い。
【００２９】
利用者端末Ｂ１〜Ｂ５には、ウェブサーバーＡ１から提供されるホームページを閲覧するためのブラウザが設けられている。
【００３０】
以下、上記アクセスカウント機構の動作について詳述する。
【００３１】
先ず、前提として、利用者が利用者端末Ｂ１を操作してインターネットに接続し、任意の画面（以下、「第１画面」という。）が既に表示されており、この第１画面は広くインターネットで利用されているハイパーテキストにより作成されているものとする。例えば、ＨＴＭＬで作成されたＷＷＷ（ワールドワイドウェブ）やＥメールとなる。
【００３２】
第１画面から第２画面、第３画面への推移を記録していく際、図３に示すようにリンク制御手段Ｄ１及びカウント手段Ｄ２の２つの手段によりアクセスカウントデータを収集していく。この２つの手段は、記憶手段、具体的には記憶手段に設けられる同一のアクセスカウントデータベースにアクセスカウントデータを格納し、このアクセスカウントデータは集計表示手段Ｄ３によって同一のデータとして集計されその結果が表示される。
【００３３】
図４に第１画面の表示例を示す。第１画面には複数のリンク部が設置されている。利用者は興味のある任意のリンク部をクリックして、リンクの張られた次のページに移動する。本実施例においては、ウェブサーバーＡ１の提供するホームページにリンクされるリンク部１を選択した場合について以下、説明を続ける。
【００３４】
リンク制御手段Ｄ１は、リンク部をクリックした際に、転送用データベースに事前に格納された情報を元に指定ホームページへリダイレクトすると共に、クリック数をカウントする（セッションＩＤ，リンク部の識別コード及びクリック時の動作時刻をアクセスカウントデータベースに格納する）ように構成されている。
【００３５】
図５に示すように、リンク部１をクリックした利用者端末Ｂ１にウェブサーバーＡ１の提供するホームページを閲覧させる際、上記アクセスカウント機構が設けられるウェブサーバーＡ３を経由させて（Ｓ１）、ＨＴＴＰリダイレクト（Ｗｅｂ上で、あるＵＲＬから他のＵＲＬに転送させること）させることで（Ｓ２，Ｓ３）、利用者端末Ｂ１に前記ホームページを表示させる（Ｓ４）。
【００３６】
転送用データベースには、各リンク部を識別するための識別コードとこの識別コードに対応付けられるリンク先ＵＲＬとから成る転送用データを格納している。図６に記憶手段に設けられる転送用データベースの構成例を示す。
【００３７】
利用者端末Ｂ１が表示している第１画面のリンク部には、ウェブサーバーＡ３の位置と識別コードとリンク制御手段Ｄ１の起動電文を備えている。従って、このリンク部をクリックすることにより、ウェブサーバーＡ３内のリンク制御手段Ｄ１が起動する。
【００３８】
このプログラムは、リンク部の識別コードを受け取り、受け取った識別コードを元に転送用データベース内を検索して（識別コードを照合して）この識別コードに対応するリンク先ＵＲＬを取得する。また、この動作と平行して、セッションＩＤ（Ｗｅｂサイトを訪れたユーザがサイト内で行う一連の動作を識別するＩＤ）と第１画面のリンク部１の識別コードの二つを対応付けた状態でアクセスカウントデータベースにクリック履歴を格納する作業も行う。
【００３９】
取得したリンク先ＵＲＬは、利用者端末Ｂ１にＨＴＴＰリダイレクトとして送信され、利用者端末Ｂ１は転送用データベースに登録されたリンク先ＵＲＬのホームページを表示する。このようにして、「利用者端末Ｂ１がリンク部１をクリックした」という情報をアクセスカウントデータベースに記録していく。
【００４０】
尚、利用者端末Ｂ１が表示している第１画面のリンク部は、全て同一のリンク識別コードを持っても良いし、別々でも良い。特に別々に設定した場合には、より詳細に利用者の閲覧経路を判断可能となる。尚、リンク識別コードはデータベースに登録した場合に生成されるものなので、全てのリンク部に付くものではない。また、識別コードのないリンク部についてはこのプログラムでカウントされない。また、上述のようにある画面の全てのリンク部の識別コードを同一にした場合には、リンク制御手段Ｄ１によりリンク部が表示されるＵＲＬを記憶手段に記憶する場合（請求項１の構成の場合）と同様となる。
【００４１】
カウント手段Ｄ２について説明する。
【００４２】
カウント手段Ｄ２は、ホームページが表示された場合に、「どの利用者端末がページを表示したのか」といった履歴をアクセスカウントデータベースに記録する手段である。
【００４３】
ホームページは、ウェブサーバーＡ３の位置とカウント手段Ｄ２の起動電文を備えており、ホームページが表示された際に、ウェブサーバーＡ３が利用者端末Ｂ１の利用状況を受信してアクセスカウントデータベースに、「利用者端末Ｂ１がページを表示した」という履歴を記録する。
【００４４】
この履歴記録の際には、リンク制御手段Ｄ１と同様にセッションＩＤを利用する。セッションＩＤとＵＲＬを組み合わせることで、利用者別に一連の動作を識別できるようにアクセスカウントデータベースに記録している。
【００４５】
以上のリンク部とリンク制御手段Ｄ１及びカウント手段Ｄ２の起動電文をウェブサーバーＡ１から提供されるホームページに備えることで、リンク制御手段Ｄ１及びカウント手段Ｄ２により、一つのアクセスカウントデータベースにセッションＩＤで関連付けられた利用者端末別の動作履歴を記録することができる。
【００４６】
このアクセスカウントデータベースに記録された動作履歴は、集計表示手段Ｄ３によって動作パターン別に集計されて樹形図状に表示される。
【００４７】
アクセスカウントデータベースに格納されるアクセスカウントデータを集計する際には、リンク制御手段Ｄ１により得られたアクセスカウントデータとカウント手段Ｄ２により得られたアクセスカウントデータを区別せず、同様のデータとして扱い、一連動作としてデータ化する。
【００４８】
集計表示手段Ｄ３について説明する。
【００４９】
集計表示手段Ｄ３は、（１）データ再構築処理，（２）統計的集計処理，（３）集計結果表示処理の順に動作するように構成されている。
【００５０】
（１）データ再構築処理について説明する。
【００５１】
リンク部のクリックやブラウザの操作によって次々画面移動する利用者の動作は、上記リンク制御手段Ｄ１及びカウント手段Ｄ２により、アクセスカウントデータベースに、１動作ずつ利用者を識別するセッションＩＤで関連付けられて記録されることになるが、集計結果表示手段は、この複数の一連動作を一つのデータとして扱えるように再構築する。
【００５２】
例えば、動作（クリック部のクリックや、ホームページの表示）にＡ〜Ｊまでのパターンがある場合、図７に示すように、１番〜４番の利用者は夫々異なった順に動作させる。ホームページの特性上、この４人が同時にアクセスする可能性は十分にある。この場合、１番の利用者が全ての動作を終了するまで２番の利用者が動作させないということはないため、動作履歴のアクセスカウントデータベースへの記録は、図８に示すように各動作毎に行われる。即ち、図７に示すような個別一連の動作の記録は不可能で、一つ一つの動作が個別に記録されることになる。
【００５３】
集計表示手段Ｄ３は、図８に示すような一つ一つの動作を、利用者毎（利用者端末毎）の一連のデータへ変換する。具体的には、利用者の識別を、前述したセッションＩＤによって行うと共に、動作の順を、動作時刻を昇順に並べることで各利用者の動作経路を把握する。この２つの要素により図８の形式のデータを図７に示すような利用者別の一連動作にまとめることができる。
【００５４】
（２）統計的集計処理について説明する。
【００５５】
上記データ再構築処理にて作成された、利用者別のデータを同一の動作をした順に並べ替え、各動作毎に集計を行う。
【００５６】
例えば、図７に示すようなデータを上述のように並べ替えると図９に示すような状態となる。利用者端末の１回目の動作履歴を第１キー，２回目の動作履歴を第２キー，以下同様にＮ回目の動作履歴を第Ｎキーに設定して昇順に並べる。動作をキーに並べ替えることで同じ動作をカウントできるようになる。
【００５７】
この並べ替えたデータは、各セッションＩＤの一回目の各動作の数をカウントする。同様に２回目の各動作の数をカウントする。これにより図９に示すデータの集計結果は、第１回目動作Ａが４回、第２回目動作はＢが３回、Ｉが１回となる。以下同様にＮ回目動作まで集計する。
【００５８】
（３）集計結果表示処理について説明する。
【００５９】
図９に示す例では、１回目の動作Ａの後は、Ｂ若しくはＩに動作が分かれている。動作Ｂを行った人は次にＣ若しくはＦの動作に分かれている。この多種多様に分かれていく動作を簡単に把握できるよう、図１０に示すように樹形図状に表示する。
【００６０】
この際、動作Ａが、リンク制御手段Ｄ１により取得されたデータであればリンクにつけた名称を、カウント手段Ｄ２により取得されたデータであればホームページタイトルを表示する。また、動作名称の横には集計によってカウントした数字を表示する。
【００６１】
集計表示手段Ｄ３の表示する集計結果の特徴は、「一つのクリック部からその後どこへ推移していく人が多いのか」という推移と統計を同時に把握することができる点にある。
【００６２】
クリック動作情報とホームページ表示動作情報を区別なく同一のレベルで表示し、更に、利用者単位のカウントを併記することで、今まで計測できなかった個別の時系列の履歴を全体数を把握しながら追っていける。このことはインターネットマーケティングにおいて重要な情報となり得る。
【００６３】
本実施例は上述のように構成したから、第１画面の少なくとも一部からリンクされた第２画面以降の顧客の動作推移を統計的に見ることが可能となり、従って、複数の画面に広告を出している第２画面の提供者が、どの広告を経由して自己の画面を利用者が使用してくれるかを把握できると共に、商品購入に至る場合と至らなかった場合の経緯の違いを把握できる等、極めて実用性に秀れたアクセスカウントシステムとなる。
【００６４】
本発明は、本実施例に限られるものではなく、各構成要件の具体的構成は適宜設計し得るものである。
【図面の簡単な説明】
【００６５】
【図１】本実施例の構成概略説明図である。
【図２】本実施例のウェブサーバーＡ３の概略説明図である。
【図３】本実施例のアクセスカウントデータ取得の概略説明図である。
【図４】本実施例の第１画面の表示例を示す概略説明図である。
【図５】本実施例の利用者端末Ｂ１へのホームページデータ転送の説明図である。
【図６】本実施例の転送用データベースの構成例を示す概略説明図である。
【図７】本実施例のセッションＩＤ毎に動作時刻順に並べ替えたアクセスカウントデータベースの構成例を示す概略説明図である。
【図８】本実施例のリンク制御手段とカウント手段により取得したアクセスカウントの実データを示す概略説明図である。
【図９】本実施例の統計的集計処理後のアクセスカウントデータベースの構成例を示す概略説明図である。
【図１０】本実施例の樹形図状に表示した集計結果を示す概略説明図である。
【図１】
2007102469.tif 000003
【図２】
2007102469.tif 000004
【図３】
2007102469.tif 000005
【図４】
2007102469.tif 000006
【図５】
2007102469.tif 000007
【図６】
2007102469.tif 000008
【図７】
2007102469.tif 000009
【図８】
2007102469.tif 000010
【図９】
2007102469.tif 000011
【図１０】
2007102469.tif 000012